(57)【特許請求の範囲】
【請求項１】
左右の側板間に湾曲状のガイド板を上下方向に配列して、蛇行状の商品収納通路を形成するとともに、少なくとも一部のガイド板を、上端側の横軸芯周りで揺動自在で、かつ、商品収納通路内に突出付勢された可動ガイド板から構成してある自動販売機の商品収納コラムであって、
前記側板間に亘って架設される上下方向に幅のある板状の取付け基材に、可動ガイド板を揺動自在に枢支する枢支手段と、これに枢支された可動ガイド板に突出側への弾性付勢力を付与した状態で弾性付勢体を取付ける取付け手段とを設けてある自動販売機の商品収納コラム。
【請求項２】
左右の側板間に湾曲状のガイド板を上下方向に配列して、蛇行状の商品収納通路を形成し、この商品収納通路内に、商品長さに応じて通路幅を変更する幅調整板を配設するとともに、少なくとも一部のガイド板を、上端側の横軸芯周りで揺動自在で、かつ、幅調整板の通路幅変更操作領域外の商品収納通路部分内に突出付勢された可動ガイド板から構成してある自動販売機の商品収納コラムであって、
前記側板間に亘って架設される上下方向に幅のある板状の取付け基材に、可動ガイド板を揺動自在に枢支する枢支手段と、これに枢支された可動ガイド板に突出側への弾性付勢力を付与した状態で弾性付勢体を取付ける取付け手段とを設けるとともに、取付け基材の商品収納通路側に臨む内側面のうち、幅調整板の通路幅変更操作領域に対応する部分が、商品収納通路に投入された商品を下方に移動案内するガイド面に構成されている自動販売機の商品収納コラム。
【請求項３】
前記枢支手段が、可動ガイド板の上端部に貫通させた枢支軸と、これの両端部を支持するべく取付け基材に打ち出し形成された軸受け部とから構成されているとともに、前記枢支軸が、軸受け部に対して通路幅方向から抜き差し自在に構成され、更に、前記取付け基材には、枢支軸の差し込み移動を案内する差し込みガイドが打ち出し形成されている請求項１又は請求項２記載の自動販売機の商品収納コラム。
【請求項４】
前記取付け手段は、弾性付勢体を構成する捻じりコイルバネのコイル部が脱着自在に装着される装着孔と、これに装着された捻じりコイルバネのコイル部を枢支軸に外套可能な姿勢で仮止め保持する仮止め係止片とを取付け基材に形成して構成されている請求項１，２又は３記載の自動販売機の商品収納コラム。
【請求項５】
前記取付け基材には、軸受け部に対して通路幅方向の一側方から枢支軸が所定装着位置にまで差し込まれたとき、この枢支軸の先端に当接する当り部が打出し形成されているとともに、所定装着位置に差し込まれた枢支軸の抜出し移動を、取付け基材が架設される一方の側板で阻止するように構成されている請求項１又は請求項２記載の自動販売機の商品収納コラム。
【請求項６】
前記取付け基材の両端部には、側板に形成された第１係止孔の周縁の一部を弾性変形させながら通路幅方向から差し込み自在で、かつ、所定差し込み位置で第１係止孔の周縁の一部に係合する抜止め用の係止凹部を備えた第１掛止部が形成されている請求項１、２、３，４又は５記載の自動販売機の商品収納コラム。
【請求項７】
前記取付け基材の両端部には、側板に形成された第２係止孔に対して通路幅方向から差し込み自在な第２掛止部が形成されている請求項６記載の自動販売機の商品収納コラム。
【発明の詳細な説明】
【０００１】
【発明の属する技術分野】
本発明は、左右の側板間に湾曲状のガイド板を上下方向に配列して、蛇行状の商品収納通路を形成するとともに、少なくとも一部のガイド板を、上端側の横軸芯周りで揺動自在で、かつ、商品収納通路内に突出付勢された可動ガイド板から構成してある自動販売機の商品収納コラム、或いは、前記商品収納通路内に、商品長さに応じて通路幅を変更する幅調整板を配設してある自動販売機の商品収納コラムに関する。
【０００２】
【従来の技術】
従来の自動販売機の商品収納コラムでは、図１０に示すように、左右の側板２間に、幅調整板の通路幅変更操作領域Ｗ１外の商品収納通路部分Ｗ２に対応する幅に構成された可動ガイド板５０と、幅調整板の通路幅変更操作領域Ｗ１に対応する幅に構成された固定ガイド板５１とを並設し、可動ガイド板５０の上端部にカール形成された筒部５０Ａと、固定ガイド板５１の上端部にカール形成された筒部５１Ａとに亘って挿通された第１筒軸５２を、左右の側板２に形成されている取付け孔５５に亘って貫通状態で架設するとともに、固定ガイド板５１の下端部にカール加工された筒部５１Ｂに挿通された第２筒軸５３を、左右の側板２に形成されている取付け孔５６に亘って貫通状態で架設し、更に、各筒軸５２，５３の両突出端部５２ａ，５３ａの各々を、側板２の外側面に沿って抜止め状態に折り曲げ加工していた。
【０００３】
また、第１筒軸５２のうち、可動ガイド板５０の上端筒部５０Ａに切欠き形成された凹部５０ａに臨む軸部分には、可動ガイド板５０を突出付勢する捻じりコイルバネ５４を、それの両端部５４ａ，５４ｂを可動ガイド板５０に形成した係止片５０ｂと上方側に隣接する他の第２筒軸５３とに当て付けた状態で装着するとともに、第２筒軸５３のうち、幅調整板の通路幅変更操作領域Ｗ１外に位置する部分を、商品との接触に伴う可動ガイド板５０の通路外方側への最大揺動位置を当接により規制するストッパーに構成していた。
【０００４】
【発明が解決しようとする課題】
従来の自動販売機の商品収納コラムでは、可動ガイド板５０、固定ガイド板５１、第１筒軸５２、第２筒軸５３といった多数の部品が必要で、しかも、可動ガイド板５０の上端部５０Ａ及び固定ガイド板５１の上下両端部５１Ａ，５１Ｂをそれぞれ筒状にカール加工する必要があるため、構造の複雑化と製造コストの高騰化を招来していた。
【０００５】
しかも、左右の側板２に可動ガイド板５０及び固定ガイド板５１を組み付ける場合、側板２に形成されている取付け孔５５に対して、可動ガイド板５０の上端筒部５０Ａと固定ガイド板５１の上端筒部５１Ａとの軸芯を合わせた状態で第１筒軸５２を挿入し、更に、固定ガイド板５１の下端筒部５１Ｂと側板２の取付け孔５６との軸芯を合わせた状態で第２筒軸５３を挿入したのち、側板２の外方に突出する各筒軸５２，５３の両突出端部５２ａ，５３ａの各々を抜止め状態に折り曲げ加工するため、組立工数が多く、しかも、多数の部品を順番に組み立てる必要があるため、組立作業に多くの手間を要していた。
【０００６】
本発明は、上述の実状に鑑みて為されたものであって、その主たる課題は、可動ガイド板の取付け構造の合理的な改造をもって、所期の商品ガイド機能を確実に発揮させながらも、構造の簡素化と組立作業能率の向上及び製造コストの低廉化とを図ることのできる自動販売機の商品収納コラムを提供する点にある。
【０００７】
【課題を解決するための手段】
本発明の請求項１による特徴構成は、左右の側板間に湾曲状のガイド板を上下方向に配列して、蛇行状の商品収納通路を形成するとともに、少なくとも一部のガイド板を、上端側の横軸芯周りで揺動自在で、かつ、商品収納通路内に突出付勢された可動ガイド板から構成してある自動販売機の商品収納コラムであって、前記側板間に亘って架設される上下方向に幅のある板状の取付け基材に、可動ガイド板を揺動自在に枢支する枢支手段と、これに枢支された可動ガイド板に突出側への弾性付勢力を付与した状態で弾性付勢体を保持する保持手段とを設けた点にある。
【０００８】
上記特徴構成によれば、側板間に可動ガイド板を組付ける場合、取付け基材に設けた枢支手段により、可動ガイド板を横軸芯周りで揺動自在に組付けることができるばかりでなく、取付け基材に設けた保持手段により、枢支された可動ガイド板に突出側への弾性付勢力を付与した状態で弾性付勢体を予め組付けることができるので、左右の側板に対しては、可動ガイド板と弾性付勢体とを事前に組付けてある取付け基材を架設するだけで済む。
【０００９】
従って、従来の商品収納コラムに比較して、部品点数を削減することができるばかりでなく、カール加工等の複雑な加工数も少なくなり、しかも、左右の側板間に架設される取付け基材に可動ガイド板と弾性付勢体とを予め組付けることによって組立作業性を高めことができるから、所期の商品ガイド機能を確実に発揮させながらも、構造の簡素化と製造コストの低廉化とを図りつつ能率良く容易に組み立てることができる。
【００１０】
本発明の請求項２による特徴構成は、左右の側板間に湾曲状のガイド板を上下方向に配列して、蛇行状の商品収納通路を形成し、この商品収納通路内に、商品長さに応じて通路幅を変更する幅調整板を配設するとともに、一部のガイド板を、上端側の横軸芯周りで揺動自在で、かつ、幅調整板の通路幅変更操作領域外の商品収納通路部分内に突出付勢された可動ガイド板から構成してある自動販売機の商品収納コラムであって、
前記側板間に亘って架設される上下方向に幅のある板状の取付け基材に、可動ガイド板を揺動自在に枢支する枢支手段と、これに枢支された可動ガイド板に突出側への弾性付勢力を付与した状態で弾性付勢体を保持する保持手段とを設けるとともに、取付け基材の商品収納通路側に臨む内側面のうち、幅調整板の通路幅変更操作領域に対応する部分が、商品収納通路に投入された商品を下方に移動案内するガイド面に構成されている点にある。
【００１１】
上記特徴構成によれば、側板間に可動ガイド板を組付ける場合、取付け基材に設けた枢支手段により、可動ガイド板を横軸芯周りで揺動自在に組付けることができるばかりでなく、取付け基材に設けた保持手段により、枢支された可動ガイド板に突出側への弾性付勢力を付与した状態で弾性付勢体を予め組付けることができるので、左右の側板に対しては、可動ガイド板と弾性付勢体とを事前に組付けてある取付け基材を架設するだけで済む。
【００１２】
しかも、取付け基材が上下方向に幅のある板状であることを利用して、幅調整板の通路幅変更操作領域に対応する部分に構成されたガイド面により、最小商品よりも大きな商品を可動ガイド板との協働で下方に確実、スムーズに移動案内することができる。
【００１３】
従って、従来の商品収納コラムに比較して、部品点数を削減することができるばかりでなく、カール加工等の複雑な加工数も少なくなり、しかも、左右の側板間に架設される取付け基材に可動ガイド板と弾性付勢体とを予め組付けることによって組立作業性を高めことができるから、所期の商品ガイド機能を確実に発揮させながらも、構造の簡素化と製造コストの低廉化とを図りつつ能率良く容易に組み立てることができる。
【００１４】
本発明の請求項３による自動販売機の商品収納コラムの特徴構成は、前記枢支手段が、可動ガイド板の上端部に貫通させた枢支軸と、これの両端部を支持するべく取付け基材に打ち出し形成された軸受け部とから構成されているとともに、前記枢支軸が、軸受け部に対して通路幅方向から抜き差し自在に構成され、更に、前記取付け基材には、枢支軸の差し込み移動を案内する差し込みガイドが打出し形成されている点にある。
【００１５】
上記特徴構成によれば、取付け基材に対して可動ガイド板を揺動自在に枢支するための枢支手段が、枢支軸と取付け基材に打ち出し形成された軸受け部とから構成されているから、部品的には枢支軸が増えるだけであり、しかも、この枢支軸を差し込み操作する際に必要となるガイドも、取付け基材に打出し形成されているから、このための部材が増えることも無い。
【００１６】
従って、構造の簡素化と製造コストの低廉化とを図りながら、取付け基材に対する可動ガイド板の組立作業を能率良く容易に行なうことができる。
【００１７】
本発明の請求項４による自動販売機の商品収納コラムの特徴構成は、前記取付け手段が、弾性付勢体を構成する捻じりコイルバネのコイル部が脱着自在に装着される装着孔と、これに装着された捻じりコイルバネのコイル部を枢支軸に外套可能な姿勢で仮止め保持する仮止め係止片とを取付け基材に形成して構成されている点にある。
【００１８】
上記特徴構成によれば、弾性付勢体の一例である捻じりコイルバネを保持するにあたって、取付け基材に装着孔と仮止め係止片とを形成するだけであるから、捻じりコイルバネを保持する為の特別な部材が増えることも無い。しかも、装着孔に装着された捻じりコイルバネのコイル部を枢支軸に外套可能な状態で仮止め保持することができるから、軸受け部に対して枢支軸を通路幅方向から差し込み操作する際、枢支軸に外套可能な位置に捻じりコイルバネを手で持ち続ける必要が無い。
【００１９】
従って、構造の簡素化と製造コストの低廉化とを図りながら、取付け基材に対する可動ガイド板及び捻じりコイルバネの組立作業を能率良く容易に行なうことができる。
【００２０】
本発明の請求項５による自動販売機の商品収納コラムの特徴構成は、前記取付け基材に、軸受け部に対して通路幅方向の一側方から枢支軸が所定装着位置にまで差し込まれたとき、この枢支軸の先端に当接する当り部が打出し形成されているとともに、所定装着位置に差し込まれた枢支軸の抜出し移動を、取付け基材が架設される一方の側板で阻止するように構成されている点にある。
【００２１】
上記特徴構成によれば、取付け基材の軸受け部に対して通路幅方向から所定装着位置に差し込み操作された操作軸の差し込み側への移動は、取付け基材に打出し形成された当り部によって阻止し、操作軸の抜出し側への移動は、取付け基材が架設された一方の側板で阻止することができるから、操作軸を所定装着位置に保持するためのの部材が増えることも無い。
【００２２】
従って、構造の簡素化と製造コストの低廉化とを図りながら、取付け基材に対する可動ガイド板の組立作業を能率良く容易に行なうことができる。
【００２３】
本発明の請求項６による自動販売機の商品収納コラムの特徴構成は、前記取付け基材の両端部に、側板に形成された第１係止孔の周縁の一部を弾性変形させながら通路幅方向から差し込み自在で、かつ、所定差し込み位置で第１係止孔の周縁の一部に係合する抜止め用の係止凹部を備えた第１掛止部が形成されている点にある。
【００２４】
上記特徴構成によれば、可動ガイド板と弾性付勢体とを予め組付けてある取付け基材を左右の側板間に架設する際、取付け基材の両端部に形成された第１掛止部の各々を、側板に形成された第１掛止孔に対してそれの周縁の一部を弾性変形させながら通路幅方向から差し込み操作すると、所定差し込み位置に到達した時点で第１掛止部の係止凹部が第１係止孔の周縁の一部に係合し、左右の側板に対して取付け基材が通路幅方向での相対移動を規制した状態で架設される。
【００２５】
従って、側板の第１掛止孔に対して取付け基材の両第１掛止部を差し込むだけの簡単な操作をもって、取付け基材を側板に架設することができるから、構造の簡素化と製造コストの低廉化とを図りながら、組立作業能率の向上を促進することができる。
【００２６】
本発明の請求項７による自動販売機の商品収納コラムの特徴構成は、前記取付け基材の両端部に、側板に形成された第２係止孔に対して通路幅方向から差し込み自在な第２掛止部が形成されている点にある。
【００２７】
上記特徴構成によれば、側板の第１掛止孔に対して取付け基材の両第１掛止部を差し込み操作したとき、取付け基材の両端部に形成された第２掛止部が、側板の第２係止孔に対して通路幅方向から差し込まれるため、可動ガイド板に作用する衝撃力を両掛止部で分散して受止めることができるとともに、可動ガイド板を所定姿勢に確実に維持することができる。
【００２８】
【発明の実施の形態】
〔第１実施形態〕
図１に示す自動販売機では、断熱壁で囲繞されるキャビネットの庫内に、飲料缶や飲料瓶、ペットボトル等の複数の商品Ｇを下方に払い出し可能な状態でほぼ上下方向に沿って積重ね収納するための商品収納通路Ｓを備えた商品収納コラムを前後方向で二列形成してあるコラムユニットＵの三つが、前後方向から吊下げ状態で脱着可能に組付けられているとともに、各商品収納コラムの商品収納通路Ｓの上部には、商品Ｇを投入する商品投入口１が前方に向って開口され、各商品収納通路Ｓの下部には、商品払出指令信号（販売指令信号）に基づいて最下端から二番目に位置する商品Ｇを受止めながら最下端に位置する商品Ｇを一つずつ払い出す商品払出機構Ａが設けられている。
【００２９】
また、前記各商品収納コラムの商品収納通路Ｓのうち、前から二列目以降に位置する商品収納通路Ｓの上部と商品投入口１とを斜めに接続するための傾斜導入通路Ｓ１を形成する商品導入ガイド４が設けられているとともに、各商品導入ガイド４は、奥側ほど少し下方に位置する傾斜姿勢に構成されていて、商品投入口１から投入された商品Ｇは、商品導入ガイド４の傾斜底板４Ａ上を転動しながら商品収納通路Ｓの上部に移入し、商品収納通路Ｓ内を蛇行しながら商品払出機構Ａ側へ搬送される。
【００３０】
前記各商品収納コラムの商品収納通路Ｓ内には、図２、図３に示すように、これの通路幅Ｗを収納される商品Ｇの長さに応じて変更するべく、商品収納通路Ｓの上端近くから下端部にまでに及ぶ長さを有する板金製の幅調整板５が配置されているとともに、前記幅調整板５を通路幅方向に平行又は略平行姿勢のまま移動案内するリンク機構Ｂが、各商品収納通路Ｓに臨む一方の側板２と幅調整板５との上下二箇所に亘って枢支連結された二本の金属棒製の揺動リンク６と、幅調整板５の背面に沿う姿勢で揺動リンク６の先端部に亘って枢支連結された板金製の縦リンク７とから構成されている。
【００３１】
前記各揺動リンク６の幅調整板５側の第１揺動軸芯Ｘ１が、通路幅Ｗを広げる側に幅調整板５を移動操作したとき、側板２側の第２揺動軸芯Ｘ２を中心として各揺動リンク６が下向きに揺動し、かつ、通路幅Ｗを狭める側に幅調整板５を移動操作したとき、側板２側の第２揺動軸芯Ｘ２を中心として各揺動リンク６が上向きに揺動する位置に設けられている。
換言すれば、前記各揺動リンク６の幅調整板５側の第１揺動軸芯Ｘ１が、通路幅変更操作領域Ｗ１内では側板２側の第２揺動軸芯Ｘ２よりも常に下方に位置するように構成されている。
【００３２】
また、図１に示すように、二列目の商品収納コラム内に配設される幅調整板５の上部には、商品導入ガイド４の左右一対のガイド側板４Ｂのうち、幅調整板５と同じ側に位置する可動ガイド側板４Ｂが上下方向及び通路幅方向に一体的に移動操作可能な状態で固定連結されている。
【００３３】
図１に示すように、三列目以降の商品収納コラム内に配設される各幅調整板５の上部には、商品導入ガイド４の左右一対のガイド側板４Ｂのうち、幅調整板５と同じ側に位置する可動ガイド側板４Ｂが、上下方向に相対移動可能な弾性挾持状態で嵌合保持されていて、幅調整板５と可動ガイド側板４Ｂとを一体的に通路幅方向に移動操作できるように構成されている。
【００３４】
最前列の商品収納コラム内に配設される幅調整板５の上部には、図１に示すように、これを上下方向及び通路幅方向に移動操作するための円形の指掛け操作孔８が形成されているとともに、二列目の商品収納コラム内に配設される可動ガイド側板４Ｂには、これと幅調整板５とを上下方向及び通路幅方向に移動操作するための円形の指掛け操作孔９が形成され、更に、各指掛け操作孔８、９の周縁がバーリング加工によって折り曲げ形成されている。
【００３５】
前記各商品収納通路Ｓは、図1、図２に示すように、収納予定商品Ｇの最大長さよりも若干大きな間隔で固定連結された左右一対の側板２間に亘って、上下方向に沿って配設される多数の湾曲状（円弧状）のガイド板１０，１１を前後方向に間隔をおいて対向する状態で取付けることにより区画形成されているとともに、前後方向で対向するガイド板１０，１１同士の高さを互いに半ピッチずつ位置齟齬させることにより、各商品収納通路Ｓが商品補充時の落下衝撃を緩和可能な蛇行状に構成されている。
【００３６】
前記ガイド板１０，１１のうち、商品収納通路Ｓの後方側に位置するガイド板１０は、図３、図４に示すように、上端側の横軸芯Ｘ周りで前後方向に揺動自在で、かつ、幅調整板５の通路幅変更操作領域Ｗ１外の商品収納通路部分Ｗ２内に弾性付勢体１４の弾性力で突出付勢された可動ガイド板から構成されているとともに、商品収納通路Ｓの前方側に位置するガイド板１１は、図３に示すように、商品収納通路Ｓの通路幅Ｗに略相当する長さを有し、かつ、それの上下両端部が側板２に直接的又は間接的に固定された固定ガイド板から構成されている。
【００３７】
次に、前記可動ガイド板１０の支持構造について詳述すると、図４〜図９に示すように、側板２間に亘って架設される上下方向に幅のある板状の取付け基材１２に、可動ガイド板１０を揺動自在に枢支する枢支手段１３と、これに枢支された可動ガイド板１０に突出側への弾性付勢力を付与した状態で弾性付勢体の一例である捻じりコイルバネ１４を取付ける取付け手段１５とを設けるとともに、前記取付け基材１２の商品収納通路Ｓ側に臨む内側面のうち、幅調整板５の通路幅変更操作領域Ｗ１に対応する部分が、商品収納通路Ｓに投入された商品Ｇを下方に移動案内するガイド面１２ａに構成されている。
【００３８】
前記枢支手段１３は、図５〜図７に示すように、可動ガイド板１０の左右両側縁に折り曲げ形成された側縁フランジ部１０Ａの上端近くに貫通形成された横軸芯Ｘに沿う枢支孔１３Ａと、両枢支孔１３Ａに対して通路幅Ｗ方向から抜き差し自在に貫通支持される丸棒状の枢支軸１３Ｂと、これの両端部を通路幅Ｗ方向から抜き差し自在に貫通支持するべく、取付け基材１２のうち、枢支軸１３Ｂの両端部に対応する部位にＶ字状に打ち出し形成された軸受け部１３Ｃとから構成されている。
【００３９】
前記両軸受け部１３Ｃの通路幅Ｗ方向での外側面間寸法Ｌ１が、可動ガイド板１０の両側縁フランジ部１０Ａの内側面間寸法Ｌ２よりも若干小に構成されていて、両軸受け部１３Ｃの外側面をもって、可動ガイド板１０の通路幅Ｗ方向での相対移動を阻止する位置決め面に構成されている。
【００４０】
前記取付け基材１２のうち、両軸受け部１３Ｃ間に位置する左右の二ケ所には、図５〜図７に示すように、通路幅Ｗ方向の一側方から差し込み操作される支軸１３Ｂを横軸芯Ｘ上に沿って移動案内する差し込みガイド１６が打出し形成されているとともに、各差し込みガイド１６が、支軸１３Ｂの差込方向下手側ほど横軸芯Ｘ側に近接位置する傾斜姿勢で切り起こし形成された上下一対のガイド片１６ａ，１６ｂから構成され、更に、上方側のガイド片１６ａが、下方側のガイド片１６ｂよりも支軸１３Ｂの差込方向下手側に偏位する状態で配設されている。
【００４１】
前記取付け基材１２には、図５〜図７に示すように、両軸受け部１３Ｃに対して通路幅Ｗ方向の一側方から枢支軸１３Ｂが所定装着位置にまで差し込まれたとき、この枢支軸１３Ｂの先端に通路幅Ｗ方向から当接する当り部１７がＶ字状に打ち出し形成されているとともに、所定装着位置に差し込まれた枢支軸１３Ｂの抜出し移動を、取付け基材１２が架設される一方の側板2で阻止するように構成されている。
【００４２】
前記取付け手段１５について詳述すると、図５〜図７に示すように、取付け基材１２のうち、両差し込みガイド１６の隣接間における通路幅方向中央位置に、捻じりコイルバネ１４のコイル部１４ａが横軸芯Ｘに沿う姿勢で脱着自在に入込み装着される横長矩形状の装着孔１５ａが貫通形成され、この装着孔１５ａの周縁には、装着孔１５ａ内に入込み装着された捻じりコイルバネ１４のコイル部１４ａに対して通路幅方向から係合することにより、捻じりコイルバネ１４のコイル部１４ａを差し込み操作される枢支軸１３Ｂに外套可能な姿勢で仮止め保持する一対の仮止め係止片１５ｂが形成されているとともに、捻じりコイルバネ１４の両端部１４ｂ，１４ｃが、商品収納通路Ｓとは反対側に位置する可動ガイド板１０の背面と取付け基材１２の外側面とに当て付けられている。
【００４３】
前記取付け基材１２は、図４、図７、図８に示すように、それの上下両側辺に沿って商品収納通路Ｓとは反対の外側面側にフランジ部１２Ａ，１２Ｂが折り曲げ形成されているとともに、枢支手段１３の形成領域よりも少し上方に偏位した部位を折り曲げ中心として、それよりも下側基材部が鉛直姿勢にある状態で上側フランジ部１２Ａを含む上側基材部が商品収納通路Ｓ側に突出位置するように、通路幅Ｗ方向視において略くの字状に屈曲形成されている。
【００４４】
前記取付け基材１２の下側基材部における商品収納通路Ｓ側の角部１２ｂが、商品Ｇとの接触に伴う可動ガイド板１０の通路外方側への最大揺動位置を当接により規制するためのストッパー部に構成されている。
【００４５】
前記取付け基材１２の上側基材部の左右両端部には、図６〜図９に示すように、側板２に形成されたＶ字状の第１係止孔１８に対して通路幅方向から差し込み自在で、かつ、その差し込み操作に連れて第１係止孔１８の周縁の一部、つまり、Ｖ字状に囲まれた上側縁部分２ａを通過可能な状態にまで通路幅Ｗ方向に弾性変形させるカム面１９ａと、所定差し込み位置で第１係止孔１８の周縁の一部、つまり、第１係止孔１８の最下端に相当する下側縁部分２ｂに係合する抜止め用の係止凹部１９ｂとを備えた第１掛止部１９が形成されている。
【００４６】
更に、前記側板２の上側縁部分２ａは、図８、図９に示すように、所定差し込み位置にある取付け基材１２の上方への抜出し移動を阻止する弾性押え部に兼用構成されているとともに、取付け基材１２の下側基材部の左右両端部には、側板２に形成された変形矩形状の第２係止孔２０に対して左右方向（通路幅方向）から差し込み自在な断面Ｌ字状の第２掛止部２１が一体形成されている。
【００４７】
前記第２取付け孔２０の周縁には、図４、図８に示すように、それに差し込まれたＬ字状の第２掛止部２１の下側先端と上端側背面が当接する当り部２０ａ，２０ｂが形成されていて、この二点での当接により、側板２の第２取付け孔２０と取付け基材１２の第２掛止部２１との間でのガタ付きを抑制するように構成されている。
【００４８】
そして、左右の両側板２の第１掛止孔１８及び第２係止孔２０に対して、取付け基材１２の両第１掛止部１９及び第２掛止部２１を通路幅方向から差し込むだけの簡単な操作をもって、取付け基材１２を両側板２に架設することができるから、構造の簡素化と製造コストの低廉化とを図りながら、組立作業能率の向上を促進することができる。
【００４９】
〔その他の実施形態〕
（１）上述の第１実施形態では、前記ガイド板１０，１１のうち、商品収納通路Ｓの後方側に位置するガイド板１０を、上端側の横軸芯Ｘ周りで前後方向に揺動自在で、かつ、幅調整板５の通路幅変更操作領域Ｗ１外の商品収納通路部分Ｗ２内に弾性付勢体１４の弾性力で突出付勢された可動ガイド板から構成したが、商品収納通路Ｓの後方側に配設される一部のガイド板１０を可動ガイド板に構成してもよく、また、商品収納通路Ｓの前方側に配設されるガイド板１１の全て又は一部を可動ガイド板に構成してもよい。
【００５０】
（２）上述の第１実施形態では、前記枢支手段１３を、可動ガイド板１０の側縁フランジ部１０Ａに貫通形成された枢支孔１３Ａと、取付け基材１２に打ち出し形成された軸受け部１３Ｃと、これらに亘って貫通支持される枢支軸１３Ｂととから構成したが、前記可動ガイド板１０に枢支軸１３Ｂを固着又は一体形成して実施してもよい。
要するに、前記枢支手段１３としては、可動ガイド板１０を揺動自在に枢支することのできるものであれば、如何なる構造に構成してもよい。
【００５１】
（３）上述の第１実施形態では、前記可動ガイド板１０を商品収納通路Ｓ内に突出付勢する弾性付勢体１４を捻じりコイルバネから構成したが、板バネ等の他の弾性付勢体を用いて実施してもよく、また、これに伴って、前記枢支手段１３に枢支された可動ガイド板１０に突出側への弾性付勢力を付与した状態で弾性付勢体１４を取付け基材１２に取付ける取付け手段１５の構造も種々変更可能である。
【００５２】
（４）左右の側板２間に取付け基材１２を架設するための構造も種々変更可能である。
【００５３】
（５）上述の第１実施形態では、商品収納コラムの商品収納通路Ｓ内に、これの通路幅Ｗを収納される商品Ｇの長さに応じて変更する幅調整板５を配置してある自動販売機の商品収納コラムについて説明したが、幅調整板５が配置されていない自動販売機の商品収納コラムに本発明の技術を適用してもよい。
【００５４】
【図面の簡単な説明】
【図１】本願発明の第１実施形態を示す自動販売機の断面側面図
【図２】コラムユニットの拡大断面側面図
【図３】商品収納コラムの要部の拡大正面図
【図４】商品収納コラムの要部の拡大側面図
【図５】取付け基材に可動ガイド板を組付ける前の一部切欠き正面図
【図６】取付け基材に可動ガイド板を組付けたときの正面図
【図７】取付け基材に可動ガイド板を組付ける前の斜視図
【図８】側板に取付け基材を取付ける前の要部の斜視図
【図９】側板に取付け基材を取付けたときの要部の断面図
【図１０】従来の自動販売機の商品収納コラムの要部を示す分解斜視図
【符号の説明】
Ｇ      商品
Ｓ      商品収納通路
Ｗ１    通路幅変更操作領域
Ｗ２    商品収納通路部分
２      側板
５      幅調整板
１０    ガイド板（可動ガイド板）
１１    ガイド板（固定ガイド板）
１２    取付け基材
１２ａ  ガイド面
１３    枢支手段
１３Ｂ  枢支軸
１３Ｃ  軸受け部
１４    弾性付勢体（捻じりコイルバネ）
１５    取付け手段
１５ａ  装着孔
１５ｂ  仮止め掛止片
１６    差し込みガイド
１７    当り部
１８    第１係止孔
１９    第１掛止部
１９ｂ  係止凹部
２０    第２係止孔
２１    第２掛止部
【図１】
0003995529.tif 000002
【図２】
0003995529.tif 000003
【図３】
0003995529.tif 000004
【図４】
0003995529.tif 000005
【図５】
0003995529.tif 000006
【図６】
0003995529.tif 000007
【図７】
0003995529.tif 000008
【図８】
0003995529.tif 000009
【図９】
0003995529.tif 000010
【図１０】
0003995529.tif 000011